(57)【要約】  【課題】  公開ユーザの投資情報と評価をデータベースに蓄積し、参照ユーザが参照したい公開ユーザの株式投資情報を容易に参照できるようにする。  【解決手段】  登録ユーザ１３は登録料金を月額単位でＷｅｂサイト運用企業１１へ支払う（Ｓ１）。Ｗｅｂサイト運用企業１１は、公開ユーザ１３ａの運用成績ランキングデータと評価内容を表示し、その公開ユーザ１３ａの取引情報を参照ユーザ１３ｂに対して有料で公開する（Ｓ７）。参照ユーザ１３ｂは、Ｗｅｂサイト運用企業１１のＷｅｂサイトに公開された取引情報の中から、所望する公開ユーザ１３ａの公開取引情報を参照する（Ｓ８）。このとき、参照ユーザ１３ｂは、参照した公開取引情報に対する情報参照手数料をＷｅｂサイト運用企業１１に支払う（Ｓ９）。一方、Ｗｅｂサイト運用企業１１は、公開取引情報のデータが参照された公開ユーザ１３ａに対して情報公開料を支払う（Ｓ１０）。【選択図】    図９
2007026045.tif 000002
【特許請求の範囲】
【請求項１】
証券投資情報をＷｅｂサイトで公開する投資情報公開システムであって、
自己の証券投資情報を前記Ｗｅｂサイトに公開し、前記証券投資情報が参照されたときに該当する情報公開料を取得する複数の公開ユーザ端末と、
前記複数の公開ユーザ端末が前記Ｗｅｂサイトに公開した証券投資情報を閲覧し、所望する公開ユーザ端末の証券投資情報の詳細を参照する参照ユーザ端末とを備え、
前記Ｗｅｂサイトは、前記複数の公開ユーザ端末から提供された証券投資情報の運用成績算定条件を統一した運用成績ランキングと、それぞれの証券投資情報の評価とを掲載し、前記参照ユーザ端末に対して公開することを特徴とする投資情報公開システム。
【発明の詳細な説明】
【技術分野】
【０００１】
本発明は、株式投資情報などの証券投資情報をＷｅｂサイト上で一般に公開する投資情報公開システムに関し、特に、特定のユーザの証券投資情報を共有して一般に公開する投資情報公開システムに関するものである。
【背景技術】
【０００２】
従来より、リアルタイムの証券情報や為替金利情報などを用いて顧客の資産分析を行い、有効な投資情報を顧客に提供する情報表示装置の技術が開示されている（例えば、特許文献１参照）。この技術による情報表示装置は、それぞれの顧客の資産状況に応じて各顧客の所望する投資情報を簡単な操作で見やすく表示することができるので、極めて使い勝手のよい表示手段として提供することができる。それ以外にも、Ｗｅｂサイトを運用して一般の投資家に株式投資情報を公開する投資情報公開システムなどが種々知られている。
【特許文献１】特開２００２−２１５９０１号公報
【発明の開示】
【発明が解決しようとする課題】
【０００３】
しかしながら、株式投資情報などを公開する従来の投資情報公開システムにおけるＷｅｂサイトの運用方法は、次に述べるような幾つかの問題点がある。１つ目の問題点は、株式投資情報を提供する従来のＷｅｂサイトでは部分的な投資実績が公開されているだけであるので、情報内容が貧弱であって信頼性に乏しい。例えば、公開されている情報内容は、いくらの元金で株式投資を始め、どのようにして現在の評価金額に達したのかが不明である。
【０００４】
２つ目の問題点は、株式投資を行うユーザは、自分の投資情報を有益に公開することが難しい。例えば、個人レベルのホームページで自分の投資情報を公開したとき、閲覧者を増加させることはできても情報料を取得することは困難である。３つ目の問題点は、株式投資情報のＷｅｂサイトを閲覧中に株式投資を始めたいと思った新規ユーザは、そのＷｅｂサイトが証券会社と提携されていなければ、接続の手間を感じて株式投資を断念してしまう。つまり、従来の株式投資情報のＷｅｂサイトは既存の投資ユーザのみを対象としているので、新規のユーザにとっては使い勝手がよくない。
【０００５】
また、従来の株式投資情報の表示方法では次のような幾つかの問題点がある。１つ目の問題点は、ユーザが株式投資をするにあたって、どの情報を信頼して良いのか判断することが難しい。２つ目の問題点は、株式投資に優れた人が自分の売買手法などを有料で公開することが難しい。つまり、ユーザは単に株式投資情報を参照するだけとなっている。３つ目の問題点は、株式投資を始めてみようと思ったユーザヘのサポート情報が殆んど存在しない。
【０００６】
本発明は、以上のような問題点に鑑みてなされたものであり、ユーザの個人情報、株式投資情報、コメント情報、及びユーザ公開情報の評価などをＷｅｂサイト上からＷｅｂサーバを用いてデータベースに蓄積し、これらの株式投資情報、コメント情報、ユーザ公開情報の評価を他のユーザがＷｅｂ上から参照できるような投資情報公開システムを提供することを目的としている。
【課題を解決するための手段】
【０００７】
上述した課題を解決するため、本発明に係る投資情報公開システムは、証券投資情報をＷｅｂサイトで公開する投資情報公開システムであって、自己の証券投資情報をＷｅｂサイトに公開し、証券投資情報が参照されたときに該当する情報公開料を取得する複数の公開ユーザ端末と、複数の公開ユーザ端末がＷｅｂサイトに公開した証券投資情報を閲覧し、所望する公開ユーザ端末の証券投資情報の詳細を参照する参照ユーザ端末とを備え、Ｗｅｂサイトは、複数の公開ユーザ端末から提供された証券投資情報の運用成績算定条件を統一した運用成績ランキングと、それぞれの証券投資情報の評価とを掲載し、参照ユーザ端末に対して公開する構成を採っている。
【０００８】
すなわち、本発明の投資情報公開システムは、証券取引に関する情報を公開するＷｅｂサイトにおいて、取引情報提供者である公開ユーザ端末の運用成績算定条件を統一して運用成績ランキングを表示すると共に、公開ユーザ端末の投資情報に関する評価も併せて掲載する。これによって、投資情報を参照したい参照ユーザ端末は、Ｗｅｂサイトにアクセスすることにより、運用成績ランキングや投資情報に関する評価を参考にして所望の公開ユーザ端末の投資情報を参照することができる。このとき、参照ユーザ端末はＷｅｂサイトの運用企業に対して情報参照手数料を支払い、取引情報提供者である公開ユーザ端末はＷｅｂサイトの運用企業より情報公開料を受け取る。なお、Ｗｅｂサイト内に運用企業が提携する証券会社のリンクを張ることもできる。これによって、Ｗｅｂサイトの運用企業から証券会社に対して顧客を紹介することもできる。
【発明の効果】
【０００９】
本発明の投資情報公開システムによれば、参照ユーザ端末は、公開ユーザ端末の評価を確認しながら公開情報を参照することができるので、投資情報を参照したい公開ユーザ端末の取引情報や取引手法を参照するときの判断基準にすることができる。つまり、参照ユーザ端末は、Ｗｅｂサイトに公開された多数の投資情報の中から評価のよい公開ユーザ端末の投資情報だけを参照することが可能となるので、短時間で的確な投資情報のみを選択して参照することができる。
【００１０】
また、本発明の投資情報公開システムによれば、売買手法の優れた公開ユーザ端末には多数の参照ユーザ端末がアクセスするので、人気のある公開ユーザ端末は多くの情報公開料を得ることができる。また、Ｗｅｂサイトの運用企業と提携している証券会社は効率よく新規の顧客を獲得することができる。
【発明を実施するための最良の形態】
【００１１】
以下、本発明における投資情報公開システムの実施の形態について、株式投資を行う株式投資情報公開システムを例に挙げて図面を参照しつつ詳細に説明する。まず、本発明に係る株式投資情報公開システムの概要について説明する。本発明の株式投資情報公開システムでは、Ｗｅｂサイト上に、自己の投資情報を公開する複数の公開ユーザ端末と、複数の公開ユーザ端末の投資情報の一覧の中から所望の公開ユーザ端末の投資情報を選択して参照する参照ユーザ端末とが存在する。
【００１２】
参照ユーザ端末が決まった固定元金から売買取引を開始したとき、Ｗｅｂサイト上に公開ユーザ端末の運用成績をランキング形式で一覧表示し、かつ公開ユーザ端末の公開情報の評価も同時に表示する。これによって、参照したい公開ユーザ端末の取引情報や取引手法を参照した参照ユーザ端末は、表示された公開ユーザ端末の公開情報の評価を参照することにより、特定の公開ユーザ端末の公開情報を参照するときの信憑性の判断基準とすることができる。云いかえれば、参照ユーザ端末は、多くの公開ユーザ端末の公開情報の中から評価の良い公開ユーザ端末の公開情報だけを参照することができる。
【００１３】
また、本発明の株式投資情報公開システムは、公開ユーザ端末が、元金を増やして有益な情報を掲載すればするほど、その公開ユーザ端末の公開情報を参照する人数が増えるため、売買手法や公開情報の優れた公開ユーザ端末は多くの情報公開料を得ることが可能となる。
【００１４】
さらに、本発明の株式投資情報公開システムは、Ｗｅｂサイトを閲覧中に株式取引を行ってみたいと感じた参照ユーザ端末は、直ちに、提携する証券会社へのリンクを通して資料請求等を行うことが可能となる。これによって、証券会社は効率よく新規顧客を獲得することが可能となる。
【００１５】
次に、本発明における株式投資情報公開システムの具体的な実施の形態について説明する。図１は本発明の一実施の形態に係る株式投資情報公開システムの構成図である。図１において、本発明の株式投資情報公開システム１０は、複数のユーザ端末１ａ，１ｂ…１ｎと、Ｗｅｂサーバ３及びデータベース４を有するＷｅｂサイト２と、Ａ証券会社の業務端末５ａ及びＢ証券会社の業務端末５ｂとがＢネットワーク６に接続された構成となっている。
【００１６】
複数のユーザ端末１ａ，１ｂ…１ｎには、株式投資情報を公開する公開ユーザが所有する端末（つまり、公開ユーザ端末）と、公開ユーザ端末が公開した株式投資情報を参照する参照ユーザが所有する端末（つまり、参照ユーザ端末）とが存在するが、ここでは、全てのユーザ端末１ａ，１ｂ…１ｎが公開ユーザ端末となったり、参照ユーザ端末となったりするものとして説明を行う。
【００１７】
次に、図１に示す株式投資情報公開システム１０の動作について概略的に説明する。各ユーザ端末１ａ，１ｂ…１ｎは、Ｗｅｂサイト２上のＷｅｂサーバ３からデータベース４ヘ自己のユーザ情報を登録する。一方、Ａ証券会社の業務端末５ａ及びＢ証券会社の業務端末５ｂは、各ユーザ端末１ａ，１ｂ…１ｎから株式投資に関する注文を受け、所望の取引が完了したらＷｅｂサイト２上のＷｅｂサーバ３からデータベース４へ取引結果を書き込む。
【００１８】
次に、各ユーザ端末１ａ，１ｂ…１ｎは、Ｗｅｂサイト２上のＷｅｂサーバ３へログインし、各ユーザ端末１ａ，１ｂ…１ｎそれぞれの株式投資情報、コメント情報、ユーザ公開情報の評価などの各種情報、つまり、情報参照時にユーザ端末１ａ，１ｂ…１ｎがデータベース４へ書き込んだ情報を、Ｗｅｂサイト２上のＷｅｂサーバ３から参照する。
【００１９】
次に、各ユーザ端末１ａ，１ｂ…１ｎがＷｅｂサイト２上のＷｅｂサーバ３にアクセスして、所望するユーザ端末（例えば、１ａ）の株式投資情報、コメント情報、ユーザ公開情報の評価などの各種情報を画面に表示させるときのＷｅｂサイト２での処理について説明する。
【００２０】
図２は、図１に示す株式投資情報公開システムにおいてデータベース４に登録されているテーブルの構成を示す図である。すなわち、株式投資情報公開システム１０のＷｅｂサイト２におけるデータベース４は、（１）ユーザ情報テーブル、（２）取引情報テーブル、（３）評価金額算出用テーブル、（４）株式情報テーブル、（５）ユーザ公開情報テーブル、（６）ユーザ公開情報評価テーブルの各テーブルによって構成されている。したがって、各ユーザ端末１ａ，１ｂ…１ｎは、Ｗｅｂサイト２上の各種の入力画面と参照画面を用いて、データベース４の上記各テーブルへの登録と参照を行う。
【００２１】
以下、Ｗｅｂサイト２上の各種の入力画面と参照画面について説明する。図３は、本発明の株式投資情報公開システムにおけるＷｅｂサイトで公開されるユーザ登録画面を示す図である。図４は、本発明の株式投資情報公開システムにおけるＷｅｂサイトで公開される取引情報入力画面を示す図である。図５は、本発明の株式投資情報公開システムにおけるＷｅｂサイトで公開される評価金額ランキング画面を示す図である。図６は、本発明の株式投資情報公開システムにおけるＷｅｂサイトで公開されるユーザ取引情報参照画面を示す図である。図７は、本発明の株式投資情報公開システムにおけるＷｅｂサイトで公開されるユーザ公開情報の評価画面を示す図である。図８は、本発明の株式投資情報公開システムにおけるＷｅｂサイトで公開されるユーザ公開情報評価の入力画面を示す図である。
【００２２】
すなわち、各ユーザ端末１ａ，１ｂ…１ｎは、Ｗｅｂサイト２上で、ユーザ登録画面（図３）、取引情報入力画面（図４）、評価金額ランキング画面（または、運用成績ランキング画）（図５）、ユーザ取引情報参照画面（図６）、ユーザ公開情報の評価画面（図７）、及びユーザ公開情報評価の入力両面（図８）を用いて、データベース４への登録と参照を行う。
【００２３】
以下、Ｗｅｂサイト２の参照画面及び登録画面である図３〜図８の各図面を参照しながら、ユーザ端末１ａ，１ｂ…１ｎによるＷｅｂサイト２の利用例を説明する。図３のユーザ登録画面は、ユーザ端末（例えば１ａ）がＷｅｂサイト２へ会員登録を行う際に入力する画面である。図３のユーザ登録画面にしたがって所定のユーザ情報を入力した後、登録ボタンを押下するとユーザＩＤとパスワードが発行される。これらの入力情報はデータベース４のユーザ情報テーブル（１）へ登録される。このようにして、ユーザ端末１ａが会員登録時に入力したデータはデータベース４で管理され、ユーザ端末１ａはＷｅｂサイト２へのログイン情報を発行する。
【００２４】
次に、顧客から注文依頼を受けた例えばＡ証券会社の業務端末５ａは、取引完了後に、図４の取引情報入力画面を用いてＷｅｂサイト２から注文内容を入力する。そして、登録ボタンを押下すると、入力された注文内容はデータベース４の取引情報テーブル（２）へ登録される。つまり、Ａ証券会社が、ユーザ端末１ａから依頼された注文の売買が完了した後に、取引結果を図４の取引情報入力画面に入力する。
【００２５】
次に、図５の評価金額ランキング画面（または、運用成績ランキング画面）において、各ユーザの運用成績をランキング形式で一覧表示し、併せて公開情報の評価を表示する。図５の評価金額ランキング画面では、「評価金額」＋「残金」のユーザランキングの一覧を参照することができる。この「評価金額」＋「残金」は、データベース４の取引情報テーブル（２）、評価金額算出用テーブル（３）、及び株式情報テーブル（４）の内容から算出することができる。なお、「評価金額」＋「残金」＝（銘柄ごとの持数量×銘柄ごとの直近の約定値）＋直近の残高）である。
【００２６】
例えば、図５の評価金額ランキング画面において、「評価金額」＋「残金」の順位２０番の「コクタロ」の欄において、取引情報の項目で「参照」をアンカークリックすると「コクタロ」の取引情報を参照することができ、取引テクニックの項目で「参照」をアンカークリックすると「コクタロ」の投資ノウハウや注目銘柄についての参照情報などの公開情報を参照することができる。さらに、ユーザ公開情報の評価項目で「評価」をアンカークリックすると、「コクタロ」の公開情報の評価を参照することができる。
【００２７】
次に、図６のユーザ取引情報参照画面においてユーザの取引履歴を表示する。すなわち、このユーザ取引情報参照画面では、データベース４の取引情報テーブル（２）から対象ユーザの取引データを取得して表示する。そのときの表示内容は、銘柄ごとの取引内容、直近の評価金額合計、及びその合計金額である。
【００２８】
さらに、図７のユーザ公開情報の評価画面はユーザ公開情報の評価を表示する。すなわち、このユーザ公開情報の評価画面に表示されるデータは、データベース４のユーザ公開情報評価テーブル（６）から取得し、コメント一覧をアンカークリックすることでコメントとして書き込まれた内容を一覧表示する。なお、評価基準は評価Ｓ，評価Ａ，評価Ｂ，評価Ｃの４段階に分かれている。
【００２９】
すなわち、図５の評価金額ランキング画面でユーザ公開情報の評価項目の「評価」をアンカークリックすると、図７のユーザ公開情報の評価画面が開き、ユーザ情報を参照するか否かを判断することが可能となる。また、図５の評価金額ランキング画面で取引情報項目の「参照」をアンカークリックすると、図６のユーザ取引情報参照画面が開き、所望するユーザの取引情報を参照することができる。さらに、図５の評価金額ランキング画面で取引テクニック項目の「参照」をアンカークリックすると、図６のユーザ取引情報参照画面が開き、所望するユーザのユーザ公開情報（つまり、データベース４のユーザ公開情報テーブル（５）から取得したデータ）を参照することができる。
【００３０】
次に、図８のユーザ公開情報評価の入力画面においてユーザ公開情報に対する評価を入力する。すなわち、前述の図５〜図７においてユーザ公開情報を参照した後、図８のユーザ公開情報評価の入力画面において評価を入力する。ここで入力された評価内容はデータベース４のユーザ公開情報評価テーブル（６）へ登録される。このユーザ公開情報評価の入力画面では、「コクタロ」の評価として、評価Ｓがチェックされ、コメントとして、『ＩＴ株の買い方について大変勉強になりました』と記録されている。
【００３１】
次に、本発明における株式投資情報公開システムの運用形態について説明する。図９は、本発明の株式投資情報公開システムの運用形態を示すフロー図である。本発明による株式投資情報公開システムの運用形態は、データベース１１ａを備えるＷｅｂサイト運用企業１１と、Ｗｅｂサイト運用企業１１と提携する証券会社１２と、自己の株式投資情報をＷｅｂサイトに公開する公開ユーザ１３ａ及びＷｅｂサイトに公開された株式投資情報を有料で参照する参照ユーザ１３ｂからなる登録ユーザ１３とによって構成されている。なお、証券会社１２と登録ユーザ１３（つまり、公開ユーザ１３ａ及び参照ユーザ１３ｂ）との関係は、一般的な証券会社と顧客（ユーザ）との取引関係である。
【００３２】
まず、Ｗｅｂサイト運用企業１１が運営するＷｅｂサイトヘ会員登録する登録ユーザ１３（つまり、公開ユーザ１３ａ及び参照ユーザ１３ｂ）は、会員費（登録料金）を月額単位でＷｅｂサイト運用企業１１へ支払う（ステップＳ１）。また、登録ユーザ１３（公開ユーザ１３ａ及び参照ユーザ１３ｂ）は、Ｗｅｂサイト運用企業１１と提携している証券会社１２に対して口座を開設した後（ステップＳ２）、証券会社１２に株式売買の注文を行う（ステップＳ３）。
【００３３】
次に、証券会社１２は、Ｗｅｂサイト運用企業１１に対して契約料あるいは顧客紹介料を支払う（ステップＳ４）。そして、証券会社１２は、登録ユーザ１３からの株式の注文に対する売買が完了したら、その注文内容をＷｅｂサイト運用企業１１のＷｅｂサイトへ入力する（ステップＳ５）。すると、Ｗｅｂサイト運用企業１１では、Ｗｅｂサイト上のデータベース１１ａに該当する取引データが書き込まれる（ステップＳ６）。
【００３４】
次に、Ｗｅｂサイト運用企業１１のＷｅｂサイトは、公開ユーザ１３ａの運用成績ランキングデータと評価内容を表示し、その公開ユーザ１３ａの取引情報を参照ユーザ１３ｂに対して有料で公開する（ステップＳ７）。すると、参照ユーザ１３ｂは、Ｗｅｂサイト運用企業１１のＷｅｂサイトに公開された取引情報の中から、所望する公開ユーザ１３ａの公開取引情報を参照する（ステップＳ８）。このとき、参照ユーザ１３ｂは、参照した公開取引情報に対する情報参照手数料をＷｅｂサイト運用企業１１に支払う（ステップＳ９）。
【００３５】
一方、Ｗｅｂサイト運用企業１１は、公開取引情報のデータが参照された公開ユーザ１３ａに対して情報公開料を支払う。つまり、Ｗｅｂサイト運用企業１１は、上場銘柄の現在値のデータを提供した公開ユーザ１３ａに対して情報公開料を支払う（ステップＳ１０）。また、Ｗｅｂサイト運用企業１１から証券会社１２に対して顧客が紹介される（ステップＳ１１）。
【００３６】
以上説明したように、本発明の株式投資情報公開システムは、株式投資に優れた公開ユーザ１３ａの株式投資情報、投資手法、及びその情報の評価をＷｅｂサイト上で全ての登録ユーザ１３に対して有料で公開する。このとき、公開ユーザ１３ａの株式投資に関する運用成績のランキングと評価内容がＷｅｂサイト上に公開される。
【００３７】
したがって、参照ユーザ１３ｂは、幾つかの定められた固定元金から株式投資を開始しようとするとき、Ｗｅｂサイト運営企業１１に対して情報参照手数料を支払い、各公開ユーザ１３ａの評価内容を参考にしながら、公開された運用成績のランキング表の中から所望する公開ユーザ１３ａの株式投資情報を参照することができる。または、固定元金でない場合は、公開された運用成績率のランキング表の中から所望する公開ユーザ１３ａの株式投資情報を参照することができる。もちろん、株式投資情報を公開するＷｅｂサイト運営企業１１と証券会社１２とは相互に連携している。
【図面の簡単な説明】
【００３８】
【図１】本発明の一実施の形態に係る株式投資情報公開システムの構成図である。
【図２】図１に示す株式投資情報公開システムにおいてデータベースに登録されているテーブルの構成を示す図である。
【図３】本発明の株式投資情報公開システムにおけるＷｅｂサイトで公開されるユーザ登録画面を示す図である。
【図４】本発明の株式投資情報公開システムにおけるＷｅｂサイトで公開される取引情報入力画面を示す図である。
【図５】本発明の株式投資情報公開システムにおけるＷｅｂサイトで公開される評価金額ランキング画面を示す図である。
【図６】本発明の株式投資情報公開システムにおけるＷｅｂサイトで公開されるユーザ取引情報参照画面を示す図である。
【図７】本発明の株式投資情報公開システムにおけるＷｅｂサイトで公開されるユーザ公開情報の評価画面を示す図である。
【図８】本発明の株式投資情報公開システムにおけるＷｅｂサイトで公開されるユーザ公開情報評価の入力画面を示す図である。
【図９】本発明の株式投資情報公開システムの運用形態を示すフロー図である。
【符号の説明】
【００３９】
１ａ，１ｂ…１ｎ  ユーザ端末、２  Ｗｅｂサイト、３  Ｗｅｂサーバ、４，１１ａ  データベース、５ａ，５ｂ  業務端末、１０  株式投資情報公開システム、１１  Ｗｅｂサイト運用企業、１２  証券会社、１３  登録ユーザ、１３ａ  公開ユーザ、１３ｂ  参照ユーザ。
【図１】
2007026045.tif 000003
【図２】
2007026045.tif 000004
【図３】
2007026045.tif 000005
【図４】
2007026045.tif 000006
【図５】
2007026045.tif 000007
【図６】
2007026045.tif 000008
【図７】
2007026045.tif 000009
【図８】
2007026045.tif 000010
【図９】
2007026045.tif 000011